(57)【要約】【課題】  コードレス電話機においてハンズフリーダイヤル後、オフフックし、電話機本体から送受話器にダイヤル番号が送信され、送受話器からリダイヤルを行っても、正しい電話番号に接続することができる電話機を提供する。【解決手段】  コードレス電話機で、電話機本体は、電話機本体に対してダイヤル入力された番号のうち、先頭から第1の所定の桁数を送受話器に送信する先頭桁送信部と、電話機本体に対してダイヤル入力された番号のうち、末尾から第２の所定の桁数を前記送受話器に送信する末尾桁送信部とを有し、送受話器は、先頭桁送信部及び末尾桁送信部からの送信を受信する受信部と、表示部と、表示部に表示する情報を記憶する第１記憶部と、電話機の通話先の番号に関する情報を記憶する第２記憶部とを有し、先頭桁送信部から送信された番号を第２記憶部に記憶し、末尾桁送信部から送信された番号を第１記憶部に記憶することを特徴とする電話機。【選択図】図３
2019145884.tif 000002
【特許請求の範囲】
【請求項１】
電話機本体と、
前記電話機本体と無線接続される送受話器と、
を、有する電話機であって、
前記電話機本体は、
前記電話機本体に対してダイヤル入力された番号のうち、先頭から第1の所定の桁数を前記送受話器に送信する先頭桁送信部と、
前記電話機本体に対してダイヤル入力された番号のうち、末尾から第２の所定の桁数を前記送受話器に送信する末尾桁送信部と、
を、有し、
前記送受話器は、
前記先頭桁送信部及び前記末尾桁送信部からの送信を受信する受信部と、
表示部と、
前記表示部に表示する情報を記憶する第１記憶部と、
前記電話機の通話先の番号に関する情報を記憶する第２記憶部と、
を、有し、
前記先頭桁送信部から送信された番号を前記第２記憶部に記憶し、前記末尾桁送信部から送信された番号を前記第１記憶部に記憶することを特徴とする電話機。
【請求項２】
前記通話先の番号に関する情報は、リダイヤル操作に用いられる番号、もしくは通話履歴として前記送受話器に記憶される番号であることを特徴とする請求項１記載の電話機。
【請求項３】
前記先頭桁送信部及び前記末尾桁送信部からの送信は、前記送受話器が、前記電話機本体からオフフックされた後に行われることを特徴とする請求項１記載の電話機。
【請求項４】
前記送受話器が前記電話機本体に載置された状態で通話が開始され、かつ通話が終了した時、前記先頭桁送信部は前記電話機本体に対してダイヤル入力された番号のうち、先頭から前記第1の所定の桁数を前記送受話器に送信することを特徴とする請求項１記載の電話機。
【請求項５】
前記末尾桁送信部が前記第２の所定の桁数を送信した後、前記先頭桁送信部が前記第１の所定の桁数を送信することを特徴とする請求項１から３記載の電話機。
【請求項６】
電話機本体と、
前記電話機本体と無線接続される送受話器と、
を、有する電話機の制御方法であって、
前記電話機本体は、
前記電話機本体に対してダイヤル入力された番号のうち、先頭から第1の所定の桁数を前記送受話器に送信する先頭桁送信ステップと、
前記電話機本体に対してダイヤル入力された番号のうち、末尾から第２の所定の桁数を前記送受話器に送信する末尾桁送信ステップと、
を、有し、
前記送受話器は、
前記先頭桁送信ステップ及び前記末尾桁送信ステップによる送信を受信する受信ステップと、
表示部と、
前記表示部に表示する情報を記憶する第１記憶部と、
前記電話機の通話先の番号に関する情報を記憶する第２記憶部と、
を、有し、
前記先頭桁送信ステップにより送信された番号を前記第２記憶部に記憶するステップと、前記末尾桁送信ステップにより送信された番号を前記第１記憶部に記憶するステップと、
を、有することを特徴とする電話機の制御方法。
【発明の詳細な説明】
【技術分野】
【０００１】
本発明は、電話機に関する。
【背景技術】
【０００２】
電話機本体と送受話器とが無線接続されるコードレス電話機では、電話機本体に対してダイヤルされた番号が、リダイヤル用情報として、送受話器に無線送信される技術が知られている。
【先行技術文献】
【特許文献】
【０００３】
【特許文献１】特開２０００−１３４７４号公報
【発明の概要】
【発明が解決しようとする課題】
【０００４】
コードレス電話機には、送受話器を電話機本体に載置した状態でダイヤル及び通話を行う機能、いわゆるハンズフリーダイヤル及びハンズフリー通話が可能なものがある。ハンズフリーで電話機本体にダイヤル操作を行うと、電話機本体の表示部にはダイヤルされた番号が表示される。またダイヤルされた番号は、電話機本体の記憶部に、リダイヤル用や通話履歴用として記憶される。
【０００５】
ハンズフリーダイヤルを行っているときは、電話機本体と送受話器とは、通常無線接続されない。ハンズフリーでは電話機本体でダイヤルから通話までが完結するため、送受話器との情報のやり取りは不要だからである。しかし、ハンズフリーダイヤル後、送受話器を電話機本体からオフフックすると、電話機本体と送受話器とが無線接続され、送受話器で通話ができるようになる。この際、電話機本体からダイヤルした番号の情報が送受話器に送信される。送受話器はコードレスなので、通話中や通話後に移動して電話機本体から離れた場所で使用する状況も考えられるためである。
【０００６】
ハンズフリー通話時に電話機本体に対してダイヤルされた番号は、電話機本体のメモリに記憶され、また表示される。ダイヤルされた番号の桁数がメモリの記憶容量を超えた場合は、ダイヤル番号の後方の桁が記憶され、また表示される。メモリ容量をオーバーフローした前方の桁は削除される。電話機本体の表示用メモリに記憶されたこのダイヤル番号は、無線接続後、送受話器に送信され、送受話器の表示部に表示され、またリダイヤル用や、通話履歴用として送受話器に記憶される。
【０００７】
しかし、ダイヤルした番号の桁数が電話機本体のメモリ容量の桁数よりも多い場合、送受話器に記憶された番号は、後方の桁しかないため、送受話器からリダイヤルを行うと、正しい電話番号に接続することができなくなってしまう。また通話履歴から電話帳データを作成しても、誤った電話番号になってしまう。
【０００８】
本発明は、上記問題点に鑑みてなされたものであり、電話機本体と送受話器が無線接続されるコードレス電話機において、電話機本体に対してハンズフリーダイヤル後、オフフックし、電話機本体から送受話器にダイヤル番号が送信され、送受話器で記憶され、記憶されたダイヤル番号に基づき送受話器からリダイヤルを行っても、正しい電話番号に接続することができる電話機を提供するものである。
【課題を解決するための手段】
【０００９】
本発明の電話機は、電話機本体と、前記電話機本体と無線接続される送受話器と、を、有する電話機であって、前記電話機本体は、前記電話機本体に対してダイヤル入力された番号のうち、先頭から第1の所定の桁数を前記送受話器に送信する先頭桁送信部と、前記電話機本体に対してダイヤル入力された番号のうち、末尾から第２の所定の桁数を前記送受話器に送信する末尾桁送信部と、を、有し、前記送受話器は、前記先頭桁送信部及び前記末尾桁送信部からの送信を受信する受信部と、表示部と、前記表示部に表示する情報を記憶する第１記憶部と、前記電話機の通話先の番号に関する情報を記憶する第２記憶部と、を、有し、前記先頭桁送信部から送信された番号を前記第２記憶部に記憶し、前記末尾桁送信部から送信された番号を前記第１記憶部に記憶することを特徴とする。
【発明の効果】
【００１０】
本発明によれば、電話機本体と送受話器が無線接続されるコードレス電話機において、電話機本体に対してハンズフリーダイヤル後、オフフックし、電話機本体から送受話器にダイヤル番号が送信され、送受話器で記憶され、記憶されたダイヤル番号に基づき送受話器からリダイヤルを行っても、正しい電話番号に接続することができる。
【図面の簡単な説明】
【００１１】
【図１】本発明の実施形態に係る電話機の外観の一例を示す図である。
【図２】本発明の実施形態に係る電話機の構成の一例を示すブロック図である。
【図３】本発明の実施形態に係る電話機の動作の一例を示すフローチャートである。
【図４】従来の電話機の動作の一例を示すフローチャートである。
【図５】本発明の実施形態に係る電話機のメモリと表示等の一例を示す図である。
【図６】従来の実施形態に係る電話機のメモリと表示等の一例を示す図である。
【発明を実施するための形態】
【００１２】
以下、本発明の電話機に係る実施形態について説明する。なお、以下の実施形態は電話機本体に送受話器が載置され、電話機本体と送受話器が無線接続されるコードレス電話機を例にとって説明するがこれに限るものではなく、例えば、送受話器が電話機本体と分離された充電台に載置されるコードレス電話機や、送受話器の他にさらに無線接続される受話子機を有するいわゆる親子電話機や、コードレス電話機の機能を備えたファクシミリ等にも適用可能である。
【００１３】
図１は、本発明の実施形態に係る電話機１の外観を示す図である。図１に示すように電話機１は、電話機本体３と、送受話器２、とを備える。送受話器２は、待機時やオンフックダイヤル、オンフック通話の時は、電話機本体３のクレイドル８に載置され、オフフックダイヤル、オフフック通話の時は、クレイドル８から取り外し使用される。電話機本体３と送受話器２とは無線で接続される。
【００１４】
送受話器２には、受話口４、送話口７が設けられている。また、例えばダイヤルした番号、通話履歴、電話番号帳データ、現在時刻、通話時間等の各種情報を表示可能な表示部５、各種操作ボタンを含む操作部６が設けられている。
【００１５】
電話機本体３には、例えばダイヤルした番号、通話履歴、電話番号帳データ、現在時刻、通話時間等の各種情報を表示可能な表示部９、ダイヤルボタンを含む操作部１２が設けられている。また、オンフック通話を行うときに、通話する相手の音声を出力するスピーカー１０と、電話機１の使用者の音声を収音するマイク１１を備える。オンフック通話は、操作部１２に含まれる、図示していない通話開始ボタンを押下することによって、開始される。
【００１６】
図２は、本発明の実施形態に係る電話機１の構成を示すブロック図である。電話機本体３は主制御部２０と、ＲＡＭ(Random Access Memory)２４と、不揮発性メモリ２５と、公衆回線制御部２７と、表示部２８と、操作部２９と、無線部２３と、を備える。
【００１７】
主制御部２０は、不揮発性メモリ２５に記憶されている制御プログラムに従って、電話機本体３を構成する各部を制御する。不揮発性メモリ２５は、制御プログラム等を記憶している。またリダイヤル用のダイヤル番号、通話履歴、電話番号帳データなども記憶している。ＲＡＭ２４は、主制御部２０の主メモリとして機能し、ダイヤルした番号や、表示部２８に表示するデータの記憶等を行う。公衆回線制御部２７は、公衆回線２６と接続し外部の電話機等と通信を行う。表示部２８は、液晶表示装置等からなる。
【００１８】
また電話機１の送受話器２は、主制御部３０と、ＲＡＭ(Random Access Memory)３４と、不揮発性メモリ３５と、表示部３６と、操作部３７と、無線部３３と、送話口７を構成するマイク３２と、受話口４を構成するスピーカー３１と、を備える。
【００１９】
主制御部３０は、不揮発性メモリ３５に記憶されている制御プログラムに従って、送受話器２を構成する各部を制御する。不揮発性メモリ３５は、制御プログラム等を記憶している。また、リダイヤル用のダイヤル番号、通話履歴、電話番号帳データなども記憶している。ＲＡＭ３４は、主制御部３０の主メモリとして機能する。表示部３６は、例えば、ダイヤルした番号、電話番号帳データ、通話履歴、現在時刻、通話時間等の各種情報を表示可能な表示装置、例えば液晶表示装置からなる。
【００２０】
電話機本体３と、送受話器２は、無線で接続されているコードレス電話機である。無線による接続は、無線部２３と、無線部３３とを、介して行われる。無線通信はＤＥＣＴ規格に準拠して行われることが多いが、本発明はＤＥＣＴ規格以外の通信規格でも、実施可能である。電話機本体３と送受話器２との間の無線通信は、送受話器２を電話機本体３からオフフックする操作をトリガーとして開始される。
【００２１】
次に従来の電話機の、電話機本体と送受話器間のデータ通信と、表示状態について図６を参照して説明する。図６では電話機本体３の表示部９と、送受話器２の表示部５の表示桁数を２４桁として説明するが、これに限るものではなく、また電話機本体３と送受話器２の表示部の表示桁数は同じである必要もない。他の例としては、電話機本体３の表示部９の表示桁数が１６桁、送受話器２の表示部５の表示桁数が１２桁などである。また、電話機本体３の表示部９の表示桁数よりも、送受話器の表示部５の表示桁数が多くても良い。
【００２２】
図６（ｂ）は、オンフックの状態で電話機本体３の操作部１２に含まれる通話開始ボタンを押下し、オンフック通話を開始し、ダイヤル（オンフックダイヤル）を行った場合を示している。ダイヤル番号は例えば「０３１２３４５６７８」の１０桁である。電話機本体３のメモリ（ＲＡＭ２４）は、２つのメモリ領域、即ち前方メモリと後方メモリを有している。前方メモリは履歴記憶用、後方メモリは表示用に用いられる。前方メモリと後方メモリの記憶可能な桁数は、例えばそれぞれ２４桁である。一般的に電話番号は、固定電話で１０桁、携帯電話で１１桁である。メモリ容量は過剰に持つとコストアップになるため、このように２４桁程度にすることが多い。１０桁ダイヤルする図６（ｂ）の例では、ダイヤル番号の全桁を記憶することができる。なお前方メモリと後方メモリの容量は、同じである必要はない。電話機本体３の後方メモリに記憶されたダイヤル番号は、電話機本体３の表示部９に表示される。電話機本体３の表示部９の表示桁数よりもダイヤル番号が多い場合は、記憶されたダイヤル番号の後方の桁から表示され、表示桁数よりオーバーフローした番号は前方部分が削除されて表示されるが、この場合表示桁数が２４桁であるので、すべてのダイヤル番号が表示される。
【００２３】
オンフックダイヤルを行い、その後オフフック通話のために送受話器２をオフフックすると、電話機本体３と送受話器２とが無線接続され、ダイヤル番号に関する情報が送信される。送信されるダイヤル番号に関する情報は、電話機本体３の後方メモリに記憶されている番号である。この場合、送受話器２の表示部５の表示桁数は２４桁なので、ダイヤル番号１０桁は全て表示される。送信された桁数よりも送受話器２の表示部５の表示桁数が少ない場合は、後方の桁から表示され、表示桁数よりオーバーフローした番号は前方部分が削除される。
【００２４】
通話が終了（終話）した後、電話機本体３のメモリ（ＲＡＭ２４）の前方メモリに記憶されているダイヤル番号の先頭から所定の桁数（この場合２４桁）を、電話機本体３に通話履歴として記憶する。ダイヤル桁数は１０桁なので、１０桁全てが記憶される。この通話履歴は、電話機本体１からのリダイヤルや、電話番号帳データの作成等に用いられる。これに対し、送受話器２では、電話機本体３から送信された、後方メモリに記憶されたダイヤル番号がそのまま通話履歴用に記憶される。
【００２５】
次に図６（ａ）を参照して、図６（ｂ）より多い桁数のダイヤルを行った場合を説明する。通常電話番号は１０桁程度だが、通話先からの音声ガイダンスに従って、更にダイヤルする場合がある。例えば宅配便の再配達日時の指定を行う場合などである。図６（ａ）で、オンフック通話の状態で、ダイヤルを例えば３０桁行ったとする。一例として「０３１２３４５６７８  １２３４５６７８９０  １２３４５６７８９０」である。なお、ダイヤル番号の間にスペースを設けているが、これは図を見やすくするためであり、実際は必要ない。以下同様である。
【００２６】
ダイヤルした番号は、電話機本体３のメモリ（ＲＡＭ２４）の前方メモリと後方メモリに記憶される。ここでもそれぞれ２４桁記憶できるとする。ダイヤルされた番号の内、前方メモリには、ダイヤル番号の前方の２４桁が記憶され、最後の６桁は削除される。後方メモリにはダイヤル番号の後方の２４桁が記憶され、最初の６桁は削除される。後方メモリに記憶されたダイヤル番号は、電話機本体３の表示部９に送信され表示される。図６（ａ）では、後方メモリと表示部９の桁数が共に２４桁で同じなので、電話機本体３の表示部９には「５６７８  １２３４５６７８９０  １２３４５６７８９０」の２４桁分表示される。なお後方メモリの記憶桁数が表示部９の表示桁数よりも多い場合は、表示部９の表示桁数を超えた前方部分から削除され、ダイヤル番号の後方から表示部９の桁数分だけ表示される。また、前方メモリに記憶された２４桁は、電話機本体３からのリダイヤルや電話帳データに用いられる。
【００２７】
送受話器２がオフフックされると、無線通信が確立され、電話機本体３の後方メモリに記憶されたダイヤル番号が、送受話器２に送信される。図６（ａ）では送受話器２の表示部５の桁数は２４桁なので、後方メモリに記憶されたすべての番号が、送受話器２の表示部５に表示される。表示部５の表示桁数が後方メモリの記憶桁数より小さい場合、表示部５の桁数を超えたダイヤル番号は前方から削除され、ダイヤル番号の後方から表示部５の桁数分だけ表示される。
【００２８】
通話が終了すると、オフフック通話中に電話機本体３から送受話器２へ送信された、電話機本体３の後方メモリに記憶されたダイヤル番号が、送受話器２の通話履歴として記憶される。しかしダイヤル番号が後方メモリの記憶桁数を超えた場合、後方メモリの記憶桁数を超えたダイヤル番号の前方部分は削除されているため、記憶された通話履歴を用いて、リダイヤルや、電話番号帳データの登録をすると、正しい電話番号に接続されなくなってしまう。
【００２９】
この状態を防ぐには、想定されるダイヤル番号の桁数を十分に超える記憶容量を電話機本体３のメモリ（ＲＡＭ２４）、及び送受話器２のメモリ（ＲＡＭ３４）に持たせ、電話機本体３のメモリから全ダイヤル番号送信して、送受話器２に全ダイヤル番号を記憶すれば解決するが、必要以上に大きな記憶容量を持たせることはコストアップに繋がる。また、音声ガイダンスによってダイヤルする桁数は、状況によって大きく変わるため、必要十分な桁数を想定すること自体が困難である。従って、必要十分なＲＡＭ３４の容量を決定することが難しい。
【００３０】
また、上述の従来例では、電話機本体３の後方メモリに記憶されたダイヤル番号、即ち表示に用いる情報を、通話履歴よりも優先して使用する構成となっている。その理由は、例えば送受話器２を電話機本体３から離れた場所に移動して、通話中にさらに音声ガイダンスなどに従って、ダイヤルする場合、ダイヤル番号を送受話器２の表示部５で確認できる方が便利なためである。
【００３１】
さらに、送信する桁数が多い場合は、通信規格に依存する通信プロトコルの制限（例えば４０桁）があるため、これを超えると複数に分割して送信しなくてはならなくなる場合がある。そうすると通信に時間がかかり、送受話器２の表示部５での表示が遅れるという問題も発生する。このような要請からも、電話機本体３から送受話器２へのダイヤル番号情報の送信桁数は、最小限に抑えられることが多い。その結果、後方メモリに記憶されたダイヤル番号のみが、送受話器２へ送信される。
【００３２】
この従来技術の、動作のフローチャートを図４に示す。まず、電話機本体３の通話開始ボタンを押下し、回線を閉結し、オンフック通話状態にする（Ｓ１）。次にオフフックされたか否かを判定する（Ｓ２）。オフフックされた場合（Ｓ２：No）、その後のダイヤル操作は、電話機本体３と送受話器２とが常に無線接続された連動通話の状態となり、送受話器２は電話機本体３と同じダイヤル情報を持つことになる。電話機本体３の前方メモリの２４桁が、送受話器３の履歴用に記憶されるため、本発明の課題は発生しない。
【００３３】
オンフックの状態で（Ｓ２：Yes）、ダイヤル操作が行われると（Ｓ３：Yes）、ダイヤル情報のうち後方２４桁が、電話機本体３のＲＡＭ２４の後方メモリに記憶される。また、前方の２４桁も前方メモリに記憶される（Ｓ４）。
【００３４】
ここで、オンフックの状態を継続し（Ｓ５：No）、ハンズフリー通話を行い終話した場合は、無線接続は行われないため、送受話器２へはダイヤル番号情報が送信されずに、終話となる。オフフックされた場合は（Ｓ５：Yes）、電話機本体３と送受話器２は無線接続され（Ｓ６）、電話機本体３のメモリ（ＲＡＭ２４）の後方メモリに記憶された２４桁が、送受話器２に送信され（Ｓ１３）、送受話器２の表示部５に後方メモリの番号情報が表示される（Ｓ１４）。この時、ダイヤル番号の桁数が表示部５の表示桁数よりも多い場合は、ダイヤル番号の前方部分は削除され、後方側だけが表示される。通話が終了すると、電話機本体３から送受話器２に送信された後方メモリの番号が、送受話器２の記憶部（不揮発メモリ３５）に通話履歴として記憶され（Ｓ１５）、リダイヤルや電話番号帳データに用いられる。しかし、ダイヤル桁数が後方メモリの桁数より多い場合、ダイヤル番号の前方部分が削除されているため、この番号を用いてリダイヤルしても、正しい電話番号には接続されない。
【００３５】
次に本発明の電話機の実施形態の一例を、図５を参照して説明する。図５では電話機本体３の前方メモリ、及び後方メモリの記憶桁数より多い桁数のダイヤルを行った場合を例にとる。図６（ａ）と同様に、オンフック通話の状態で、ダイヤルを３０桁行ったとする。一例として「０３１２３４５６７８  １２３４５６７８９０  １２３４５６７８９０」である。
【００３６】
電話機本体３のメモリのうち、前方メモリはダイヤル番号の前方の２４桁、後方メモリは後方の２４桁を記憶する。後方メモリに記憶されたダイヤル番号は、電話機本体３の表示部９に表示される。図５では、後方メモリの記憶桁数と表示部９の表示桁数が同じため、すべての桁が表示される。なお、表示部９の表示桁数が、後方メモリの記憶桁数より少ない場合は、表示部９の桁数を超えた前方部分から削除され、ダイヤル番号の後方から表示部９の桁数分だけ表示される。図５では、電話機本体３の表示部９には「５６７８  １２３４５６７８９０  １２３４５６７８９０」の２４桁分表示される。
【００３７】
送受話器２がオフフックされると、無線通信が確立される。ここで電話機本体３に記憶されたダイヤル番号情報が、送受話器２に無線通信を介して送信されるが、ダイヤル番号情報は送受話器表示用と送受話器通話履歴用と、別のデータとして、それぞれ送信される。表示用のデータは、後方メモリに記憶されたデータが送信される。
【００３８】
表示用データの送信が終了した後に、送受話器２通話履歴用データが送受話器２に送信される。送受話器２の通話履歴用データは、電話機本体３の前方メモリに記憶されているデータが送信され、送受話器２の不揮発メモリ３５に「０３１２３４５６７８  １２３４５６７８９０  １２３４５６７８９０」と記憶される。これによって、送受話器２に記憶されている通話履歴を用いてリダイヤルや、電話帳情報データの作成を行っても、正しい電話番号に接続することが可能となる。
【００３９】
この動作のフローチャートを図３に示す。オフフックの検出を行うステップ（Ｓ５）までは、従来技術の図４と同様である。オフフックを検出し（Ｓ５：Yes）、電話機本体３と送受話器２は無線接続されると（Ｓ６）、電話機本体３のメモリ（ＲＡＭ２４）に記憶されたダイヤル情報のうち、後方メモリに記憶された表示部用情報が送受話器に送信される（Ｓ７）。表示用情報送信した後、通話履歴用情報を送信する（Ｓ８）。通話履歴用情報は、電話機本体３のＲＡＭ２４の前方メモリに記憶されているダイヤル情報で、例えば２４桁を送受話器２へ送信する。送信された通話履歴用情報は、送受話器２の不揮発性メモリ３５に記憶され（Ｓ１０）、リダイヤルや、電話番号帳データに用いられる。
【００４０】
表示用情報の送信（Ｓ７）は、履歴用情報（Ｓ８）よりも先に行う方が好ましい。表示用データは、ダイヤル中に確認を行いたい場合があるからである。通話履歴用データを用いるのは通常終話後であるので、表示用データより後で良い。また通話履歴用データは通話中にバックグラウンドで送信することも可能である。通話履歴用データの送信（Ｓ８）は、表示（Ｓ９）より後でも良い。なお表示用情報送信と通話履歴用情報送信の順番を逆にしても本発明を実施可能である。
【００４１】
これにより、送受話器２の表示部５の表示桁数よりも多い桁数が、電話機本体３に対しダイヤルされた後にオフフックされても、送受話器２の表示部５には、ダイヤル情報の後方側が表示されるため、ダイヤルした内容を確認することができる。また通話履歴もダイヤル情報の前方が記憶されるため、リダイヤルを行っても正しい電話番号に通話することができ、また電話番号帳データも、正しく作成することができる。
【００４２】
また、表示用情報や通話履歴用情報の送信は、オフフック検出（Ｓ５：Yes）をトリガーとして行うのが好ましい。これはオフフック検出により、送受話器の無線接続が確立され（Ｓ６）、ダイヤル情報を送るための無線接続の確立を、別に行う必要がなくなるためである。
【００４３】
なお、図５に示すように、本発明では送受話器２の表示用データ（後方メモリに記憶）と履歴用データ（前方メモリに記憶）に重複部分が発生すると、従来よりも送信データ量は増える場合がある。しかしこの程度のデータ量の増加は実質的な問題は生じない。データ量の増加よりも、送受話器２での表示と、リダイヤルや電話帳データが正しくなる効果が大きい。
【００４４】
（変形例１）
図３で、オフフック検出ステップ（Ｓ５）で、オフフックされない場合（Ｓ５：No）の場合は、オンフック通話で通話が完結するため、従来は送受話器２にはダイヤル情報は送信されない。しかし終話後、送受話器２からリダイヤルや、電話番号帳データの作成を行う場合、送受話器２にも正しい通話履歴用情報が送信されると便利である。そのためには、オフフック通話で終話したことを検出し（Ｓ１１：Yes）、終話を検出したら、電話機本体３から送受話器に２へ、通話履歴用情報を送信しても良い。通話履歴用情報は、上述のオフフックした場合と同様に、ダイヤル情報の前方から所定の桁数、即ち前方メモリに記憶されたダイヤル番号送信される。なお、オンフックの状態で通話が完了するため、表示用情報を送信する必要はない。
【００４５】
（変形例２）
送受話器２へ送信する表示用情報の桁数は、送受話器２の表示部５の桁数よりも、多い桁数で送信しても良い。表示部５の表示桁数を超えた番号は、前方から順次削除されるためである。これによって、将来の設計変更により、送受話器２の表示部５の表示桁数が増えたとしても、ソフトウェアはそのままで済む。また異なる表示桁数を有する電話機１に対しても、ソフトウェアを共通化し、コストダウンを図ることができる。
【００４６】
（変形例３）
上述の実施例では、表示用情報は、電話機本体３の後方メモリに記憶されたダイヤル番号が送受話器２の表示部５に送信されるとしたが、メモリに記憶せずに全データを順次送信し、表示部５の桁数を超えたダイヤル番号が順次削除され、最終的にダイヤル番号の後方から表示部５の桁数分だけ表示するようにしても良い。これによってもダイヤル番号の後方の部分が表示されるので、ダイヤル番号を確認することができる。
【００４７】
（変形例４）
上述の実施例では、オンフックダイヤルを例にとったが、オンフックモニターでも実施可能である。オンフックモニターは、電話機本体３にマイク１１がなく、スピーカー１０から出力される相手の音声をオンフックの状態で聞く使用法である。オンフックモニターの状態からオフフックして通話を行うとき、電話機本体３から送受話器２に表示用情報と履歴用情報を送信すればよい。
【００４８】
本発明は、上述した実施形態に限られるものではなく、特許請求の範囲及び明細書全体から読み取れる発明の要旨或いは思想に反しない範囲で適宜変更可能であり、そのような変更を伴う電話機もまた本発明の技術的範囲に含まれる。
【産業上の利用可能性】
【００４９】
本発明は、電話機に好適に採用され得る。
【符号の説明】
【００５０】
１…電話機、２…送受話器、３…電話機本体、４…受話口、５…表示部、６…操作部、７…送話口、８…クレイドル、９…表示部、１０…スピーカー、１１…マイク、１２…操作部、２０…主制御部、２１…スピーカー、２２…マイク、２３…無線部、２４…ＲＡＭ、２５…不揮発性メモリ、２６…公衆回線、２７…公衆回線制御部、２８…表示部、２９…操作部、３０…主制御部、３１…スピーカー、３２…マイク、３３…無線部、３４…ＲＡＭ、３５…不揮発性メモリ、３６…表示部、３７…操作部
【図１】
2019145884.tif 000003
【図２】
2019145884.tif 000004
【図３】
2019145884.tif 000005
【図４】
2019145884.tif 000006
【図５】
2019145884.tif 000007
【図６】
2019145884.tif 000008